(57)【要約】      （修正有）【課題】熱せられた格子状の鉄棒の上に、肉、魚などを乗せ、鉄棒の熱によって焼く事ができるガス及び電気ヒーター利用焼物器を提供する。【解決手段】タコ足状のバーナー２の上にコの字型の鉄棒１をかぶせ、ガス熱で熱し、その上に直接食材（肉、魚など）を載せて焼く。該コの字型の鉄棒１にうすい煙が出る程度に熱し焼き上げる。ステーキや焼肉を焼くのにもっとも適している。また、焼いている時に余分な脂は複数のコの字型の鉄棒１同士の間から脂、汁受け３に落ち、炭火焼きの風味を出す程度の煙しか出ない。【選択図】図１
0003154245.tif 000002
【実用新案登録請求の範囲】
【請求項１】
コの字型の鉄棒のくぼみ部分に、タコ足状のガスバーナーの炎があたるようにし、直接鉄棒を熱する方法、及びくぼみの部分にヒーターを設置熱する方法。
熱せられたコの字型鉄棒に肉、魚などを直接のせて鉄棒によって焼く事を特徴とする焼き物器。
鉄棒の凹み部分にガスの炎が当たる個所の上部は肉厚の鉄棒にした構造である。
【考案の詳細な説明】
【技術分野】
【０００１】  本考案は、コの字型の鉄棒をガス、及びヒーターで熱し、食材を焼く事に関するものである。
【背景技術】
【０００２】  従来の焼き物器に関しては、不必要な煙や炎が出たり、焼き網に熱のむらがあったり、少量の肉、魚などを焼くにも焼き物器全体を熱くしなければならず、エネルギーを多く使用し、例えば、鮭の切り身を１切れ焼きたいとか、焼き鳥を３本焼くとか、手羽先を３本焼くとか、このような場合において、従来の焼き物器では焼き物器全体を熱くしなければならず、エネルギーの無駄であり、必ずしも便利ではなかった。
【先行技術文献】
【特許文献】
【０００３】
【特許文献１】
【非特許文献】
【０００４】
【非特許文献１】
【考案の概要】
【考案が解決しようとする課題】
【０００５】  従来の焼き物器は、焼き網に熱のムラがあったり、脂や汁がたれ、炎や煙が大量に出たり、少量の食材を焼くにしても、焼き物器全体を熱しなければならず、エネルギーの消費が大であった。炭火焼に関しては火をおこしたりけしたり、時間的、労働的に負担である。したがって、必要な部分だけ熱する事もでき、鉄棒と鉄棒の間から脂や汁が下に落ち、炎は全くでない熱せられた鉄棒によって食材を焼くので、ステーキなどは焼き目がつき美味である。
【課題を解決するための手段】
【０００６】  本考案は、コの字型の鉄棒のくぼみに、ガスバーナー及びヒーターを設け、鉄棒を熱し、鉄棒の上に直接食材を乗せて焼くものである。
必要に応じて鉄網全体の三分の二を熱するとか、三分の一を熱するとか、スイッチで調節できる。
【考案の効果】
【０００７】  上述のように本考案のガス、及び電気ヒーター利用焼き物器は、熱せられた鉄棒にて食材を焼き上げる物である。鉄棒と鉄棒の間から脂や汁が落ちるため、煙が少ない。炎は全く出ないので食材が黒くすすける事もない。
炭火焼の風味を出すためには、多少の煙は必要不可欠である。
食材の量によって焼くのに必要な部分だけ熱する事ができるので、省エネルギー効果が得られる。
【図面の簡単な説明】
【０００８】
【図１】本考案の焼き物器の鉄棒とバーナーの一部切欠上部正面図
【図２】鉄棒とガスバーナーの一部切欠図
【図３】鉄棒とガスバーナーの断面図
【図４】本焼き物器の鉄棒と電気ヒーターの一部欠上部正面図
【図５】鉄棒とヒーターの一部切欠図
【図６】鉄棒とヒーターの断面図
【考案を実施するための形態】
【０００９】  タコ足状のガスバーナーの上にコの字型のとりはずしできる鉄棒を設置する。鉄棒の凹部分のくぼみにガスの炎が当たるようにして熱する。鉄棒と鉄棒の間から、脂や汁が落ちるので、バーナーの下部に少量の水をはった受け皿を設置する。
上記のようにガスの他に電気ヒーターを鉄棒のくぼみ内に設置する。
【実施例】
【００１０】  以下、添付図面にしたがって、一実施例を説明する。
１はコの字型の鉄棒の凹部分にガスの炎をあて、熱した鉄棒に肉、魚等をのせて焼く。【００１１】  ４、６は、焼きたいものの量に合わせて、つけたり消したりする事によって、省エネルギーにつながる。【００１２】  本考案の一実施例は上述の如き構成からなるものであるから、誰でも簡単に焼く事ができる。鉄棒部分を取り外せば、洗浄も簡単である。
【符号の説明】
【００１３】１  コの字型の鉄棒
２  ガスバーナー
３  脂、汁受け
４  ガス口
５  電気ヒーター
６  電源
【図１】
0003154245.tif 000003
【図２】
0003154245.tif 000004
【図３】
0003154245.tif 000005
【図４】
0003154245.tif 000006
【図５】
0003154245.tif 000007
【図６】
0003154245.tif 000008
【手続補正書】
【提出日】平成21年8月4日(2009.8.4)
【手続補正１】
【補正対象書類名】実用新案登録請求の範囲
【補正対象項目名】全文
【補正方法】変更
【補正の内容】
【実用新案登録請求の範囲】
【請求項１】
平面視でタコ足状に並列されているガスバーナー又は電気ヒーターと、このガスバーナー又は電気ヒーターの上に、凹溝状のくぼみ部分を下にして対向状に設けられている断面コの字型の鉄棒とを備え、この鉄棒のくぼみ部分の上部が肉厚に形成されていることを特徴とする焼き物器。
【手続補正２】
【補正対象書類名】明細書
【補正対象項目名】全文
【補正方法】変更
【補正の内容】
【考案の詳細な説明】
【技術分野】
【０００１】
本考案は、コの字型の鉄棒をガス、及びヒーターで熱し、食材を焼くのに使用する焼き物器に関するものである。
【背景技術】
【０００２】
従来の焼き物器に関しては、不必要な煙や炎が出たり、焼き網に熱のむらがあったり、少量の肉、魚などを焼くにも焼き物器全体を熱くしなければならず、エネルギーを多く使用し、例えば、鮭の切り身を１切れ焼きたいとか、焼き鳥を３本焼くとか、手羽先を３本焼くとか、このような場合において、従来の焼き物器では焼き物器全体を熱くしなければならず、エネルギーの無駄であり、必ずしも便利ではなかった。
【考案の概要】
【考案が解決しようとする課題】
【０００３】
従来の焼き物器は、焼き網に熱のムラがあったり、脂や汁がたれ、炎や煙が大量に出たり、少量の食材を焼くにしても、焼き物器全体を熱しなければならず、エネルギーの消費が大であった。炭火焼に関しては火をおこしたり消したり、時間的、労働的に負担である。
【０００４】
従って、本考案の解決しようとする技術的課題は、必要な部分だけ熱する事もでき、鉄棒と鉄棒の間から脂や汁が下に落ち、炎は全くでない熱せられた鉄棒によって食材を焼くことができ、ステーキなどは焼き目がつき美味になるよう形成した焼き物器を提供することにある。
【課題を解決するための手段】
【０００５】
本考案は、上記の技術的課題を解決するため、次のような技術的手段を採る。
即ち、本考案は、平面視でタコ足状に並列されているガスバーナー又は電気ヒーターと、このガスバーナー又は電気ヒーターの上に、凹溝状のくぼみ部分を下にして対向状に設けられている断面コの字型の鉄棒とを備え、この鉄棒のくぼみ部分の上部が肉厚に形成されていることを特徴とする。
本考案は、このようにコの字型の鉄棒のくぼみに、ガスバーナー及びヒーターを設け、鉄棒を熱し、鉄棒の上に直接食材を載せて焼くものである。
この場合本考案は、必要に応じて鉄網全体の三分の二を熱するとか、三分の一を熱するとか、スイッチで調節すると良い。
【考案の効果】
【０００６】
上述のように本考案のガス、及び電気ヒーター利用焼き物器は、熱せられた鉄棒にて食材を焼き上げるものである。この場合、本考案は、鉄棒と鉄棒の間から脂や汁が落ちるため、煙が少なく、また炎は全く出ないので食材が黒くすすける事もない。
なお、炭火焼の風味を出すためには、多少の煙は必要不可欠であるが、本考案によればこのような要望も満たすことができる。
また本考案によれば、食材の量によって焼くのに必要な部分だけ熱する事ができるので、省エネルギー効果も得られる。
【図面の簡単な説明】
【０００７】
【図１】本考案の焼き物器の鉄棒とバーナーの一部切欠平面図である。
【図２】鉄棒とガスバーナーの一部切欠図である。
【図３】鉄棒とガスバーナーの要部断面図である。
【図４】本焼き物器の鉄棒と電気ヒーターの一部切欠平面図である。
【図５】鉄棒とヒーターの一部切欠図である。
【図６】鉄棒とヒーターの要部断面図である。
【考案を実施するための形態】
【０００８】
以下、添付図面に従って、一実施例を説明する。
１はコの字型の鉄棒であり、２はタコ足状のガスバーナーである。本考案は、このガスバーナー２の上にコの字型のとりはずしできる鉄棒１を、鉄棒１の凹部分のくぼみにガスの炎が当たるよう、設置する。
本考案は、鉄棒１と鉄棒１の間から、脂や汁が落ちるので、バーナー２の下部に少量の水をはった受け皿３を設置する。
【０００９】
また本考案は、上記のようなガスバーナー２に代え、電気ヒーター５を鉄棒１のくぼみ内に設置するのでも良い。
【００１０】
本考案は、コの字型の鉄棒１の凹部分にガスの炎をあて、熱した鉄棒１に肉、魚等を載せて焼くのに使用する。
なお、４はガス口であり、６は電源である。本考案は、これらを、焼きたいものの量に合わせて、つけたり消したりする事によって、省エネルギーを実現できる。
【００１１】
而して、本考案の一実施例は上述の如き構成からなるものであるから、これによれば誰でも簡単に肉や魚等を焼く事ができる。また本考案は、鉄棒１部分を取り外せは、洗浄も簡単にできる。
【符号の説明】
【００１２】
１    コの字型の鉄棒
２    ガスバーナー
３    脂、汁受け用の受け皿
４    ガス口
５    電気ヒーター
６    電源
【手続補正３】
【補正対象書類名】図面
【補正対象項目名】全図
【補正方法】変更
【補正の内容】
【図１】
0003154245.tif 000009
【図２】
0003154245.tif 000010
【図３】
0003154245.tif 000011
【図４】
0003154245.tif 000012
【図５】
0003154245.tif 000013
【図６】
0003154245.tif 000014